【手続補正書】
【提出日】平成16年3月22日(2004.3.22)
【手続補正１】
【補正対象書類名】明細書
【補正対象項目名】発明の名称
【補正方法】変更
【補正の内容】
【発明の名称】画像形成装置及び定着装置


【手続補正２】
【補正対象書類名】明細書
【補正対象項目名】特許請求の範囲
【補正方法】変更
【補正の内容】
【特許請求の範囲】
【請求項１】
加熱素子を備えた加熱部材と、該加熱部材を加圧する加圧部材と、前記加熱部材の表面温度を検出する温度検出素子とを備えた定着装置を有し、記録材に画像を形成する画像形成装置において、
前記記録材に画像を形成する前に前記定着装置を回転駆動させる前多回転制御手段を備え、
該前多回転制御手段は、前記温度検出素子による前記加熱部材の軸方向における表面温度の検出温度差に基づいて前多回転駆動の実行時間を決定することを特徴とする画像形成装置。
【請求項２】
内部に加熱素子を配置され、回転駆動されるように配置された定着ローラと、
該定着ローラに圧接しつつ回転するように配置された加圧ローラと、
上記定着ローラの表面温度を検出する温度検出素子と、
前記加熱素子によって前記定着ローラの表面温度が所定の温度に達した時点で、当該定着ローラを前多回転駆動させる前多回転制御手段と、を備えた定着装置において、
前記前多回転制御手段は、前記温度検出素子により得られた前記定着ローラの軸方向の検出温度差に基づいて、前多回転駆動の実行時間を決定することを特徴とする定着装置。
【請求項３】
内部に複数の加熱素子を配置され、回転駆動される定着ローラと、
該定着ローラに圧接しつつ回転するように配置された加圧ローラと、
前記定着ローラの表面温度を検出する温度検出素子と、
前記複数の加熱素子によって前記定着ローラの表面温度が所定の温度に達した時点で、当該定着ローラを前多回転駆動させる前多回転制御手段とを備えた定着装置において、
前記前多回転制御手段は、前記温度検出素子により得られた前記定着ローラの軸方向の検出温度差に基づいて、前記複数の加熱素子のそれぞれに対する通電時間の比または前多回転駆動の実行時間を決定することを特徴とする定着装置。
【請求項４】
前記加熱素子が、定着ローラの軸方向中央部寄り、及び端部寄りの各部位に加熱ピークをそれぞれ有する２つの加熱素子から構成されているとともに、
前記温度検出素子が、前記定着ローラの軸方向中央部寄り、及び端部寄りの２箇所にわたって配置され、
前記前多回転制御手段は、上記２箇所の温度検出素子により得られた２つの検出温度値の差を演算する機能を有し、かつ、上記２箇所の加熱素子のそれぞれに対する通電時間の比、及び前多回転駆動の実行時間を決定する機能を有していることを特徴とする請求項３記載の定着装置。
【請求項５】
前記前多回転制御手段は、本体電源が投入された直後において２箇所の温度検出素子によりそれぞれ得られる検出温度値（ＴA1，ＴB1）と、所定時間経過後において２箇所の温度検出素子により得られる検出温度値（ＴA2，ＴB2）とに基づいて、本体電源が投入された後における前多回転駆動の開始時刻ｔを演算し、その開始時刻ｔにおいて２箇所の温度検出素子により得られるであろう検出温度値（Ｔ1 ，Ｔ2 ）を推定演算する機能を備えていることを特徴とする請求項４記載の定着装置。
【手続補正３】
【補正対象書類名】明細書
【補正対象項目名】０００１
【補正方法】変更
【補正の内容】
【０００１】
【発明の属する技術分野】
本発明は、電子写真複写機、静電記録装置等において記録紙上に転写されたトナー像を加熱により定着させる画像形成装置及び定着装置に関する。


【手続補正４】
【補正対象書類名】明細書
【補正対象項目名】００１３
【補正方法】変更
【補正の内容】
【００１３】
そこで本発明は、前多回転動作の終了時点において、定着ローラの軸方向における温度分布を均一化し、定着むらのない良好な画像を得ることができるようにした画像形成装置及び定着装置を提供することを目的とする。


【手続補正５】
【補正対象書類名】明細書
【補正対象項目名】００１４
【補正方法】変更
【補正の内容】
【００１４】
【課題を解決するための手段および作用】
上記目的を達成するため、請求項１記載の発明にかかる画像形成装置では、加熱素子を備えた加熱部材と、該加熱部材を加圧する加圧部材と、前記加熱部材の表面温度を検出する温度検出素子とを備えた定着装置を有し、記録材に画像を形成する画像形成装置において、前記記録材に画像を形成する前に定着装置を回転駆動させる前多回転制御手段を備え、該前多回転制御手段は、前記温度検出素子による前記加熱部材の軸方向における表面温度の検出温度差に基づいて前多回転駆動の実行時間を決定する構成を有している。
また、請求項２記載の発明にかかる定着装置では、内部に加熱素子を配置され、回転駆動されるように配置された定着ローラと、該定着ローラに圧接しつつ回転するように配置された加圧ローラと、上記定着ローラの表面温度を検出する温度検出素子と、前記加熱素子によって前記定着ローラの表面温度が所定の温度に達した時点で、当該定着ローラを前多回転駆動させる前多回転制御手段と、を備えた定着装置において、前記前多回転制御手段は、前記温度検出素子により得られた前記定着ローラの軸方向の検出温度差に基づいて、前多回転駆動の実行時間を決定する構成を有している。


【手続補正６】
【補正対象書類名】明細書
【補正対象項目名】００１５
【補正方法】変更
【補正の内容】
【００１５】
また、請求項３記載の発明にかかる定着装置では、内部に複数の加熱素子を配置され、回転駆動される定着ローラと、該定着ローラに圧接しつつ回転するように配置された加圧ローラと、前記定着ローラの表面温度を検出する温度検出素子と、前記複数の加熱素子によって前記定着ローラの表面温度が所定の温度に達した時点で、当該定着ローラを前多回転駆動させる前多回転制御手段とを備えた定着装置において、前記前多回転制御手段は、前記温度検出素子により得られた前記定着ローラの軸方向の検出温度差に基づいて、前記複数の加熱素子のそれぞれに対する通電時間の比または前多回転駆動の実行時間を決定する構成を有している。
【手続補正７】
【補正対象書類名】明細書
【補正対象項目名】００１６
【補正方法】変更
【補正の内容】
【００１６】
さらに、請求項４記載の発明にかかる定着装置では、請求項３記載の加熱素子が、定着ローラの軸方向中央部寄り、及び端部寄りの各部位に加熱ピークをそれぞれ有する２つの加熱素子から構成されているとともに、前記温度検出素子が、前記定着ローラの軸方向中央部寄り、及び端部寄りの２箇所にわたって配置され、前記前多回転制御手段は、上記２箇所の温度検出素子により得られた２つの検出温度値の差を演算する機能を有し、かつ、上記２箇所の加熱素子のそれぞれに対する通電時間の比、及び前多回転駆動の実行時間を決定する機能を有している。


【手続補正８】
【補正対象書類名】明細書
【補正対象項目名】００１７
【補正方法】変更
【補正の内容】
【００１７】
さらにまた、請求項５記載の発明にかかる定着装置では、請求項４記載の前多回転制御手段が、本体電源が投入された直後において２箇所の温度検出素子によりそれぞれ得られる検出温度値（ＴA1，ＴB1）と、所定時間経過後において２箇所の温度検出素子により得られる検出温度値（ＴA2，ＴB2）とに基づいて、本体電源が投入された後における前多回転駆動の開始時刻ｔを演算し、その開始時刻ｔにおいて２箇所の温度検出素子により得られるであろう検出温度値（Ｔ1 ，Ｔ2 ）を推定演算する機能を備えている。


【手続補正９】
【補正対象書類名】明細書
【補正対象項目名】００４６
【補正方法】変更
【補正の内容】
【００４６】
【発明の効果】
以上述べたように、本発明にかかる画像形成装置及び定着装置は、ウォーミングアップ動作後において定着ローラの軸方向に温度差を生じている場合であっても、前多回転制御手段により通電時間の比と前多回転駆動の実行時間とを適宜制御することによって、定着ローラの軸方向中央部分における表面温度と端部分における表面温度とを略一致させるように前多回転駆動を行わせ、軸方向に略均一な温度分布を有する定着ローラによって画像形成動作を開始させるものであるから、前多回転動作の終了時点において定着ローラの軸方向における温度分布を均一化して、定着むらのない良好な画像を得ることができ、画像形成装置の信頼性を向上させることができる。